(57)【要約】【課題】  幅広なカード及び幅狭なカードを確実に排出できること。【解決手段】  インシュレータ１１に設けた連結機構は、幅広なカード５１の先端面５１ｃが初期位置で一対のイジェクトプレート３１，３３の押圧部３１ｂ，３３ｂに当接し一対の前記イジェクトプレート３１，３３を回転させつつ所定位置へ移動した際に前記イジェクトプレート３１，３３の連結部３１ａ，３３ａ同士を連結し、イジェクトバー４１，４３が前記所定位置から前記初期位置へ回転した際に前記連結部３１ａ，３３ａとともに排出方向Ｂへ移動し前記初期位置で前記連結部３１ａ，３３ａとの連結を解除する連結部材４５ａを有している。【選択図】図１
2005183155.tif 000002
【特許請求の範囲】
【請求項１】
挿入方向を直交する幅方向の幅寸法において幅広なカード及び該幅広な前記カードよりも幅狭なカードを単独にもしくは前記幅狭なカードの複数を並列して収容する収容部をもつインシュレータと、前記幅広なカード及び前記幅狭なカードに設けられている導電性の相手側コンタクトに所定位置で接続するよう前記インシュレータに設けた導電性のコンタクトと、前記所定位置から前記幅広なカード及び前記幅狭なカードを排出するよう前記挿入方向とは逆向きの排出方向へ前記幅広なカード及び前記幅狭なカードを移動させる複数のイジェクト機構とを含み、前記収容部は、前記幅狭なカードを前記幅方向を区分けして収容する複数の所定領域を有するカード用コネクタにおいて、
前記イジェクト機構のそれぞれは、前記所定領域毎に収容される前記幅狭なカードを前記挿入方向及び前記排出方向へ移動するときに前記幅狭なカードの先端面に一対一に当接するよう前記所定領域毎に対応しかつ前記幅広なカードの先端面に一対が当接する少なくとも一対のイジェクトプレートを有し、
該イジェクトプレートは、常時互いに重なり合っている連結部と、前記収容部及び前記所定位置間で前記幅広なカードの前記先端面及び前記幅狭なカードの前記先端面のそれぞれに当接する押圧部とを有し、
前記インシュレータには、前記イジェクトプレートを前記収容部上及び前記所定位置側へ回動可能に移動なすよう軸支した軸部と、前記所定領域の間に位置しかつ前記所定位置から前記収容部へ前記排出方向に延びている連結機構とが設けられており、
前記連結機構は、前記幅広なカードの前記先端面が初期位置で一対の前記イジェクトプレートの前記押圧部に当接し一対の前記イジェクトプレートを回転させつつ前記所定位置へ移動した際に前記連結部同士を連結し、前記イジェクトバーが前記所定位置から前記初期位置へ回転した際に前記連結部とともに前記排出方向へ移動し前記初期位置で前記連結部との連結を解除する連結部材を有していることを特徴とするカード用コネクタ。
【請求項２】
請求項１記載のカード用コネクタにおいて、前記連結部は、前記連結機構の上方に位置しており、前記連結機構は、前記初期位置で前記連結部材が前記連結部の下方に位置し前記所定位置で前記連結部材を上昇させて前記連結部に係合するよう前記挿入方向及び前記排出方向でスライドさせつつ前記連結部材を上下移動させるスライド受部材を有し、該スライド受部材が前記インシュレータに一体に設けられていることを特徴とするカード用コネクタ。
【請求項３】
請求項２記載のカード用コネクタにおいて、前記連結部には、前記連結部材を係合する連結穴が形成されており、前記連結部材は、前記初期位置で前記連結部材が連結部の下方に位置し前記所定位置で前記連結部材を上昇させて前記連結穴に係合する連結ピンと、該連結ピンを立設しているピン保持部とを有し、前記スライド受部材には、前記挿入方向及び前記排出方向で前記連結ピンを前記ピン保持部とともに上下移動させるよう前記ピン保持部がスライド可能に組付けられていることを特徴とするカード用コネクタ。
【請求項４】
請求項３記載のカード用コネクタにおいて、前記スライド受部材は、前記挿入方向及び前記排出方向にかつ前記ピン保持部の上下移動方向に平行な一対の壁部を有し、一対の前記壁部間には前記ピン保持部が組み込まれており、一対の前記壁部のそれぞれには、前記排出方向側から前記挿入方向側へ高くなる上下の段差をもつガイド部が形成されており、前記ピン保持部は、前記ガイド部に沿って前記排出方向側から前記挿入方向側へ摺動するよう突出している突部を有していることを特徴とするカード用コネクタ。
【請求項５】
請求項４記載のカード用コネクタにおいて、前記ガイド部は、前記排出方向の端部及び前記挿入方向の端部が前記排出方向及び前記挿入方向に対して平行に位置しており、前記排出方向の前記端部及び前記挿入方向の前記端部を相互に接続している中間部分が傾斜していることを特徴とするカード用コネクタ。
【請求項６】
請求項４又は５記載のカード用コネクタにおいて、前記ガイド部は、前記ピン保持部の前記突部がスライド可能に係合するよう一対の前記壁部に形成したガイド穴であることを特徴とするカード用コネクタ。
【請求項７】
請求項４又は５記載のカード用コネクタにおいて、前記ガイド部は、前記ピン保持部の前記突部がスライド可能に係合するよう一対の前記壁部の対向面に形成した突条部であることを特徴とするカード用コネクタ。
【請求項８】
請求項５乃至７のいずれか１項に記載のカード用コネクタにおいて、一対の前記壁部間には、前記ピン保持部を上下移動可能に収容され前記挿入方向及び排出方向へ移動可能な摺動部材を有し、該摺動部材は、前記ピン保持部を上下動可能に受け入れた筒部と、前記突部を受け入れ前記ピン保持部の上下移動とともに上下動を可能となすよう上端面から下方へ向けて形成した切り欠き部とを有していることを特徴とするカード用コネクタ。
【発明の詳細な説明】
【技術分野】
【０００１】
本発明は、電子部品を内蔵している複数種のカードに接続し、これらのカードを排出する排出機構を備えているカード用コネクタに関するものである。
【背景技術】
【０００２】
従来、カードを収容するコネクタとしては、上下二段に形成されている収容部に一枚ずつカードを収容可能なカード用コネクタが知られている。このカード用コネクタは、上下二段の収容部のそれぞれに収容したカードをカード毎に独立して排出させるイジェクト機構を備えている（例えば、特許文献１を参照）。
【０００３】
また、カードを収容するコネクタとしては、第１のカード収納部と、この第１のカード収納部と幅方向に並設された第２のカード収納部とを有するカード用コネクタが知られている。このカード用コネクタでは、ハウジングに装着された第１のカードを排出させる第１のカード排出手段と、第２のカードを排出させる第２のカード排出手段とを備えている。
【０００４】
第１のカード収納部は、第２のカード収納部よりも奥行き長さを短く形成するとともに、第１のカード収納部の後方に、第１及び第２のカード排出手段の少なくとも一方を配設するという構成となっている（例えば、特許文献２を参照）。
【０００５】
【特許文献１】特開平７−１９２１００号公報
【特許文献２】特開２００３−２２９２０７号公報
【発明の開示】
【発明が解決しようとする課題】
【０００６】
特許文献１のカード用コネクタは、幅方向に二枚のカードを並列に、もしくは幅方向に二枚のカードを並列に収容する幅方向の間隔に一枚のカードを挿入できることが想定されていなく、上下二段の収容部で構成されているために高さ寸法が大きくなってしまうという問題がある。
【０００７】
また、特許文献２のカードコネクタは、幅方向に二枚のカードを並列に収納することができるが、幅方向に二枚のカードを並列に収納する幅方向の間隔に一枚のカードを挿入できるような構成とはなっておらず、一枚のカードを排出することができないという問題がある。
【０００８】
それ故に、本発明が解決しようとする問題点は、幅広のカードを一枚もしくは幅狭なカードの複数枚を並列に収容可能であり、排出したいカードだけを確実に排出することができ、幅広なカードを挿入したとき複数のイジェクト機構の一つを操作しても確実にカードを排出することができという機能を同時に満足することが可能なカード用コネクタを提供することにある。
【課題を解決するための手段】
【０００９】
本発明は、挿入方向を直交する幅方向の幅寸法において幅広なカード及び該幅広な前記カードよりも幅狭なカードを単独にもしくは前記幅狭なカードの複数を並列して収容する収容部をもつインシュレータと、前記幅広なカード及び前記幅狭なカードに設けられている導電性の相手側コンタクトに所定位置で接続するよう前記インシュレータに設けた導電性のコンタクトと、前記所定位置から前記幅広なカード及び前記幅狭なカードを排出するよう前記挿入方向とは逆向きの排出方向へ前記幅広なカード及び前記幅狭なカードを移動させる複数のイジェクト機構とを含み、前記収容部は、前記幅狭なカードを前記幅方向を区分けして収容する複数の所定領域を有するカード用コネクタにおいて、
前記イジェクト機構のそれぞれは、前記所定領域毎に収容される前記幅狭なカードを前記挿入方向及び前記排出方向へ移動するときに前記幅狭なカードの先端面に一対一に当接するよう前記所定領域毎に対応しかつ前記幅広なカードの先端面に一対が当接する少なくとも一対のイジェクトプレートを有し、
該イジェクトプレートは、常時互いに重なり合っている連結部と、前記収容部及び前記所定位置間で前記幅広なカードの前記先端面及び前記幅狭なカードの前記先端面のそれぞれに当接する押圧部とを有し、
前記インシュレータには、前記イジェクトプレートを前記収容部上及び前記所定位置側へ回動可能に移動なすよう軸支した軸部と、前記所定領域の間に位置しかつ前記所定位置から前記収容部へ前記排出方向に延びている連結機構とが設けられており、
前記連結機構は、前記幅広なカードの前記先端面が初期位置で一対の前記イジェクトプレートの前記押圧部に当接し一対の前記イジェクトプレートを回転させつつ前記所定位置へ移動した際に前記連結部同士を連結し、前記イジェクトバーが前記所定位置から前記初期位置へ回転した際に前記連結部とともに前記排出方向へ移動し前記初期位置で前記連結部との連結を解除する連結部材を有していることを特徴とするカード用コネクタことを最も主要な特徴とする。
【発明の効果】
【００１０】
本発明のカード用コネクタによれば、少なくとも独立した一対のイジェクト機構を備え、幅狭なカードが挿入されたとき、それぞれ独立してイジェクト機構が働き、幅広なカードが挿入されたときに、連結機構によって一対のイジェクト機構が連動して働くことで、取り出したいカードだけを確実に排出できる。
【００１１】
さらに、連結機構には、幅広のカード及び幅狭なカードの区別を認識する機構を持たせることで、カードの誤排出を防ぐことができる。
【発明を実施するための最良の形態】
【００１２】
本発明のカード用コネクタは、挿入方向を直交する幅方向の幅寸法において幅広なカード及び該幅広な前記カードよりも幅狭なカードを単独にもしくは前記幅狭なカードの複数を並列して収容する収容部をもつインシュレータと、前記幅広なカード及び前記幅狭なカードに設けられている導電性の相手側コンタクトに所定位置で接続するよう前記インシュレータに設けた導電性のコンタクトと、前記所定位置から前記幅広なカード及び前記幅狭なカードを排出するよう前記挿入方向とは逆向きの排出方向へ前記幅広なカード及び前記幅狭なカードを移動させる複数のイジェクト機構とを含み、前記収容部は、前記幅狭なカードを前記幅方向を区分けして収容する複数の所定領域を有するカード用コネクタにおいて、
前記イジェクト機構のそれぞれは、前記所定領域毎に収容される前記幅狭なカードを前記挿入方向及び前記排出方向へ移動するときに前記幅狭なカードの先端面に一対一に当接するよう前記所定領域毎に対応しかつ前記幅広なカードの先端面に一対が当接する少なくとも一対のイジェクトプレートを有し、
該イジェクトプレートは、常時互いに重なり合っている連結部と、前記収容部及び前記所定位置間で前記幅広なカードの前記先端面及び前記幅狭なカードの前記先端面のそれぞれに当接する押圧部とを有し、
前記インシュレータには、前記イジェクトプレートを前記収容部上及び前記所定位置側へ回動可能に移動なすよう軸支した軸部と、前記所定領域の間に位置しかつ前記所定位置から前記収容部へ前記排出方向に延びている連結機構とが設けられており、
前記連結機構は、前記幅広なカードの前記先端面が初期位置で一対の前記イジェクトプレートの前記押圧部に当接し一対の前記イジェクトプレートを回転させつつ前記所定位置へ移動した際に前記連結部同士を連結し、前記イジェクトバーが前記所定位置から前記初期位置へ回転した際に前記連結部とともに前記排出方向へ移動し前記初期位置で前記連結部との連結を解除する連結部材を有していることにより実現した。
【実施例１】
【００１３】
図１は、本発明の実施例１におけるカード用コネクタと、このカード用コネクタに接続する外形形状が異なっている二枚のカードを示している。図２は、図１に示したカード用コネクタを分解した状態を示している。
【００１４】
図１及び図２を参照して、実施例１におけるカード用コネクタでは、電子機器に使用されるＩＣカードを一例として採用している。カード用コネクタは、このカード用コネクタへカードを挿入する方向である挿入方向Ａを直交する幅方向Ｗの幅寸法と同等の幅寸法をもっているカード（以下、幅広なカード５１と呼ぶ）を収容し接続する。さらに、このカード用コネクタでは、幅方向Ｗにおける幅広なカード５１の幅寸法のほぼ半分の幅寸法をもっているカード（以下、幅狭なカード６１と呼ぶ）を収容し接続する。
【００１５】
したがって、カード用コネクタは、幅広なカード５１を一枚もしくは二枚の幅狭なカード６１を単独もしくは幅方向Ｗで並列に収容することが可能なものである。
【００１６】
カード用コネクタは、インシュレータ１１と、このインシュレータ１１に設けられている導電性のコンタクト１３と、複数のイジェクト機構とを備えている。
【００１７】
インシュレータ１１は、コンタクト１３が設けられているコネクタ部１５と、このコネクタ部１５を含むブリッジ部１７と、このブリッジ部１７の幅方向（長手方向）Ｗの両端部に一端が接続され、互いに平行な向きで対向している一対のフレーム部２１，２３とを有している。
【００１８】
一対のフレーム２１，２３には、互いに対向する面にガイド溝２１ａ，２３ａが形成されている。ガイド溝２１ａ，２３ａには、幅広なカード５１の幅方向Ｗを直交する両辺５１ａ，５１ｂを挿入しガイド溝２１ａ，２３ａにしたがって幅広なカード５１の挿入をガイドする。また、ガイド溝２１ａ，２３ａには、幅狭なカードの幅方向Ｗを直交する両辺６１ａ，６１ｂの内の一辺６１ａ又は６１ｂを挿入しガイド溝２１ａ又は２３ａにしたがって幅狭なカード６１の挿入をガイドする。
【００１９】
幅広なカード５１の挿入方向Ａ側の裏面には、コンタクト１３に一対一に接触する相手側コンタクト５３が設けられている。幅狭なカード６１の挿入方向Ａ側の裏面には、コンタクト１３に一対一に接触する相手側コンタクト６３が設けられている。
【００２０】
コネクタ部１５には、幅方向Ｗで所定間隔をもって並列に複数のコンタクト１３が位置している。インシュレータ１１には、幅広なカード５１及び幅狭なカード６１の二枚のカードが挿入方向Ａへ挿入されて所定位置に収容することが可能となっている。ここで、所定位置とは、コネクタ部１５のコンタクト１３に相手側コンタクト５３，６３が接続されたときの位置とする。よって、コンタクト１３は、所定位置において幅広なカード５１及び幅狭なカード６１の相手側コンタクト５３，６３がコンタクト１３に接続する。また、イジェクト機構は、所定位置からカードを排出するように挿入方向Ａとは逆向きの排出方向Ｂへ幅広なカード５１及び幅狭なカード６１を移動させるものである。
【００２１】
さらに、カード用コネクタを具体的に説明すると、インシュレータ１１のコネクタ部１５を含むブリッジ部１７と一対のフレーム部２１，２３とによって囲まれた部分は、挿入方向Ａを直交する幅方向Ｗの幅寸法に対応する一枚の幅広なカード５１を規制して収容する収容部２５となっている。
【００２２】
収容部２５は、幅広なカード５１よりも幅狭なカード６１を単独にもしくは幅狭なカード６１の二枚を並列して収容するように幅方向Ｗを区分けした二つの所定領域２５ａ，２５ｂを有している。
【００２３】
イジェクト機構は、それぞれが独立して幅広なカード５１及び幅狭なカード６１を移動させることができるようにインシュレータ１１に二つのイジェクト機構が組付けられている。
【００２４】
イジェクト機構のそれぞれは、幅広なカード５１の挿入方向Ａの先端面５１ｃに少なくとも一対が当接しかつ二枚の幅狭なカード６１の挿入方向Ａの先端面６１ｃに一対一に当接する一対のイジェクトプレート３１，３３と、イジェクトプレート３１，３３を回動可能となす一対のイジェクトバー４１，４３とを有している。
【００２５】
イジェクトプレート３１，３３は、所定領域毎に収容される幅狭なカードを挿入方向Ａ及び排出方向Ｂへ移動するよう所定領域２５ａ，２５ｂ毎に一対一に対応して位置している。
【００２６】
一対のイジェクトプレート３１，３３のそれぞれは、これらのイジェクトプレート３１，３３の一方端側となる連結部３１ａ，３３ａと、収容部２５及び所定位置間で幅広なカード５１の先端面５１ｃ及び幅狭なカード６１の先端面６１ｃのそれぞれに当接する押圧部３１ｂ，３３ｂと、長手方向の中央部分に形成されている軸穴３１ｃ，３３ｃと、イジェクトプレート３１，３３の他方端側に形成されているプレート係合部３１ｄ，３３ｄとを有している。
【００２７】
押圧部３１ｂ，３３ｂは、連結部３１ａ，３３ａの近傍に位置しており、イジェクトプレート３１，３３を構成している板部分を収容部２５側へ曲げらることによって形成されている。
【００２８】
インシュレータ１１のブリッジ部１７の上面には、一対のイジェクトプレート３１，３３のそれぞれを回動可能になすための一対の軸部１７ａ，１７ｂが形成されている。イジェクトプレート３１，３３の軸穴３１ｃ，３３ｃには、一対の軸部１７ａ，１７ｂが一対一に嵌め込まれることによって、軸部１７ａ，１７ｂを中心としてイジェクトプレート３１，３３を回動可能となしている。即ち、軸部１７ａ，１７ｂは、イジェクトプレート３１，３３を収容部２５上及び所定位置側へ回動可能に移動するように軸支している。
【００２９】
一対のイジェクトプレート３１，３３の連結部３１ａ，３３ａは、収容部２５の幅方向Ｗを二分割する中心線Ｃ上を挿入方向Ａ及び排出方向Ｂへ移動し収容部２５上及び所定位置間で移動する際に、常時、連結部３３ａを上側として互いに重なり合っている。連結部３１ａ，３３ａには連結穴３１ｆ，３３ｆが形成されている。連結穴３１ｆ，３３ｆは、イジェクトプレート３１，３３の回転運動と収容部２５の中心線Ｃが交わる軌道を満足する長い寸法形状の穴である。
【００３０】
イジェクトバー４１，４３は、一対のフレーム２１，２３の外側に沿ってそれぞれが位置しており、フレーム２１，２３に沿って挿入方向Ａ及び排出方向Ｂに移動する。これらのイジェクトバー４１，４３は、フレーム２１，２３の外面に設けられている複数の支持部１１ｇによって支持されている。イジェクトバー４１，４３の挿入方向Ａの先端部分には、イジェクトプレート３１，３３のプレート係合部３１ｄ，３３ｄを一対一に受け入れて係合しているバー係合穴４１ａ，４３ａが形成されている。イジェクトバー４１，４３の排出方向Ｂの先端部分には、イジェクトボタン４１ｂ，４３ｂが固定されている。
【００３１】
イジェクトバー４１，４３は、図１に示したように、収容部２５に幅広なカード５１もしくは幅狭なカード６１が収容されていない初期状態から、収容部２５へ幅広なカード５１もしくは幅狭なカード６１を挿入方向Ａで挿入すると、イジェクトプレート３１，３３の押圧部３１ｂ，３３ｂを幅広なカード５１の挿入方向Ａの先端面５１ｃもしくは幅狭なカード６１の先端面６１ｃが押圧することにより、イジェクトプレート３１，３３を回転させつつ所定位置へ到達させると、幅広なカード５１もしくは幅狭なカード６１の相手側コンタクト５３又は６３とコンタクト１３が接続する。
【００３２】
なお、イジェクトプレート３１，３３を回転させると、イジェクトバー４１，４３が排出方向ＢＡへ移動しイジェクトボタン４１ｂ，４３ｂが初期位置よりも排出方向Ｂへ突き出した状態となる。
【００３３】
また、イジェクトバー４１，４３は、イジェクトボタン４１ｂ，４３ｂを挿入方向Ａへ押圧することによって、イジェクトバー４１，４３を収容部２５へ向けて回転させ幅広なカード５１の先端面５１ｃを押圧部３１ｂ，３３ｂによって押圧し、もしくは幅狭なカード６１の先端面６１ｃを押圧部３１ｂ又は３３ｂによって押圧し収容部２５に収容されている幅広なカード５１もしくは幅狭なカード６１を排出方向Ｂへ移動することが可能である。
【００３４】
さらに、インシュレータ１１には、所定領域２５ａ，２５ｂの間に位置しかつブリッジ部１７から所定位置へ延びさらに収容部２５へ排出方向Ｂに延びている連結機構が設けられている。
【００３５】
連結機構は、図３及び図４において拡大して示したように、幅広なカード５１が挿入されるときに幅広なカード５１の先端面５１ｃに当接し、所定位置にイジェクトプレート３１，３３の連結部３１ａ，３３ａが移動したときに連結部３１ａ，３３ａ同士を連結する連結部材４５と、挿入方向及び排出方向でスライドさせつつ連結部材４５を上下移動させるスライド受部材４７と、挿入方向Ａ及び排出方向Ｂへ移動可能な略升形状の摺動部材４９とを有している。
【００３６】
連結部材４５は、初期位置で連結部材４５が連結部３１ａ，３３ａの下方に位置し、所定位置で連結部材４５を上昇させて連結穴３１ｆ，３３ｆに係合する連結ピン４５ａと、連結ピン４５ａを立設している直方体形状のピン保持部４５ｂとを有している。
【００３７】
ピン保持部４５ｂには、幅方向Ｗへ突出している円柱形状の一対の突部４５ｃが設けられている。
【００３８】
連結ピン４５ａは、図１に示した中心線Ｃ上に配置されている。幅狭なカード６１は、連結ピン４５ａと一方のフレーム２１又は２３との間で挿入方向Ａ及び排出方向Ｂへ移動が可能である。連結ピン４５ａは、連結部３１ａ，３３ａの下側に位置している。なお、幅狭なカード６１の二枚が並列に収容部２５の所定領域２５ａ，２５ｂに収容された場合には、幅狭なカード６１の間に連結ピン４５ａが位置する。
【００３９】
連結ピン４５ａは、挿入方向Ａへ移動すると、上方向へ突出し、収容部２５の中心線Ｃ上を挿入方向Ａ及び排出方向Ｂへ移動が可能であり、連結ピン４５ａが初期位置にあるときには、イジェクトプレート３１，３３とは干渉することがなく、挿入方向Ａへ移動したときには、突出した連結ピン４５ａがイジェクトプレート３１，３３の連結部３１ａ，３３ａの連結穴３１ｆ，３３ｆに係合される。
【００４０】
スライド受部材４７は、インシュレータ１１のブリッジ部１７に一体に設けられており、挿入方向Ａ及び排出方向Ｂで連結ピン４５ａをピン保持部４５ｂ及び摺動部材４９とともに上下移動させるようにピン保持部４５ｂが摺動部材４９を介してスライド可能に組付けられている。スライド受部材４７は、挿入方向及び排出方向にかつピン保持部４５ｂ及び摺動部材４９を上下動させる方向に平行な一対の壁部４７ａ，４７ｂを有している。
【００４１】
一対の壁部４７ａ，４７ｂ間には、ピン保持部４５ｂ及び摺動部材４９が組み込まれており、一対の壁部４７ａ，４７ｂのそれぞれには、排出方向Ｂ側から挿入方向Ａ側へ高くなる上下の段差をもつガイド部４８が形成されている。
【００４２】
なお、スライド受部材４７は、一対の壁部４７ａ，４７ｂの他に、底部４７ｅ、一対の壁部４７ａ，４７ｂの排出方向Ｂの開口を封止したストッパー壁部４７ｆ、挿入方向Ａの開口を封止したインシュレータ１１のブリッジ部１７を有し、底部４７ｅによって摺動部材４９の下方向への移動が規制されており、ストッパー壁部４７ｆ及びブリッジ部１７によって摺動部材４９の排出方向Ｂ及び挿入方向Ａの移動が規制されている。
【００４３】
ガイド部４８は、ピン保持部４５ｂに設けられている突部４５ｃがスライド可能に係合するよう一対の壁部４７ａ，４７ｂに形成されたガイド用の長穴である。ピン保持部４５ｂの突部４５ｃは、ガイド部４８に挿入されてガイド部４８に沿って排出方向Ｂ側から挿入方向Ａ側へ摺動するよう突出している。
【００４４】
ガイド部４８は、排出方向Ｂ側の端部４８ａ及び挿入方向Ａ側の端部４８ｂが排出方向Ｂ及び挿入方向Ｂに対して平行に位置しており、排出方向Ｂ側の端部４８ａ及び挿入方向Ａ側の端部４８ｂを相互に接続している中間部分４８ｃが傾斜している。
【００４５】
摺動部材４９は、ピン保持部４５ｂを上下動可能に受け入れた筒部４９ａと、突部４５ｃを受け入れピン保持部４５ｂの上下移動とともに上下動を可能となすよう上端面４９ｂから下方へ向けて形成した切り欠き部４９ｃとを有している。
【００４６】
スライド受部材４７には、挿入方向Ａ及び排出方向Ｂで連結ピン４５ａをピン保持部４５ｂとともに上下移動させるようにピン保持部４５ｂが摺動部材４９を介してスライド可能に組付けられている。突部４５ｃは、摺動部材４９の切り欠き部４９ｃで逃がした構造となっている。
【００４７】
以下、図１、図６及び図７を参照して、幅広なカード５１をカード用コネクタに挿入し収容部２５の所定位置で収容する操作とともにイジェクト機構及び連結機構の動作を説明する。
【００４８】
幅広なカード５１が収容部２５に挿入される際には、図１に示した初期位置で幅広なカード５１が収容部２５に挿入される。このとき、幅広なカード５１は、一対のフレーム２１，２３のガイド溝２１ａ，２３ａにしたがって挿入され、収容部２５の中心線Ｃ上にある連結ピン４５ａに当接し、幅広なカード５１の先端面５１ｃが一対のイジェクトプレート３１，３３の押圧部３１ｂ，３３ｂに当接することによって挿入方向Ａへ一対のイジェクトプレート３１，３３を押圧し、一対のイジェクトプレート３１，３３を軸部１７ａ，１７ｂを中心に回転させつつ所定位置へ移動する。
【００４９】
さらに、一対のイジェクトプレート３１，３３は、図７に示すように、幅広なカード５１の押圧とともに挿入方向Ａへ移動し幅広なカード５１が所定位置へ達したときには連結部３１ａ，３３ａの連結穴３１ｆ、３３ｆに係合して連結部３１ａ，３３ａ同士を連結している。
【００５０】
この時、連結機構では、図３に示した初期位置においてピン保持部４５ｂの突部４５ｃがガイド部４８に挿入されているので、連結ピン４５ａが挿入方向Ａへ移動しながら、ガイド受部材４７のガイド部４８に排出方向Ｂ側から挿入方向Ａ側へ摺動し、図５に示したガイド受部材４７における位置では連結ピン４５ａが連結部３１ａ，３３ａ同士を連結している。
【００５１】
即ち、ピン保持部４５ｂに設けられている突部４５ｃは、ガイド部４８の排出方向Ｂ側の端部４８ａから中間部分４８ｃへ移動すると連結ピン４５ａが少しずつ上昇し、その後、挿入方向Ａ側の端部４８ｂへ移動すると連結ピン４５ａが上昇して連結穴３１ｆ、３３ｆに係合して連結部３１ａ，３３ａ同士を連結する。
【００５２】
また、突部４５ｃは、摺動部材４９の切り欠き部４９ｃに沿って上方へ移動するので、連結ピン４５ａがピン保持部４５ｂとともに上方へ移動する。
【００５３】
このような構造の連結機構において、連結ピン４５ａに挿入方向Ａの力が及ぼされたとき、連結ピン４５ａはガイド部４８にしたがい挿入方向Ａに移動するにつれ上方向に変位する。また、連結ピン４５ａは摺動部材４９の筒部４９ａ内で上方向のみに移動するよう強制されているので、傾くことなく確実に動作させることが可能である。
【００５４】
幅広なカード５１を収容部２５の所定位置から排出する際には、イジェクトボタン４１ｂ、４３ｂのいずれかを挿入方向Ａへ押圧することによって、連結ピン４５ａによって結合されているイジェクトプレート３１，３３の連結部３１ａ，３３ａが排出方向Ｂへ回転させ、イジェクトプレート３１，３３を所定位置から初期位置へもどす。この際、連結ピン４５ａは、図５に示した位置から図３に示した位置へもどるので、連結部３１ａ，３３ａとともに排出方向Ｂへ移動し初期位置で連結部３１ａ，３３ａとの係合が解除される。
【００５５】
したがって、幅広なカード５１は、イジェクトプレート３１，３３の連結部３１ａ，３３ａ同士が連結ピン４５ａにより連結された状態で結合されているので、各々、イジェクトプレート３１，３３が繋がっているどちらかのイジェクトバー４１，４３のイジェクトボタン４１ｂ，４３ｂを操作しても、幅広なカード５１を迷うことなく排出することができ、収容部２５から幅広なカード５１取り出すことができる。
【００５６】
なお、図１に示したように、カード用コネクタにおいては、プリント回路基板のような基板７１上に固定され、収容部２５上もカバー部材（図示せず）によって覆われるので、幅広なカード５１及び幅狭なカード６１のいずれが収容部２５に収容されているかが容易に目視できないことがある。
【００５７】
このようにカバー部材に覆われているカード用コネクタである場合には、少なくとも独立した二つのイジェクト機構における連結部３１ａ，３３ａ同士が連結ピン４５ａにより連結されている部分にのみを開口させた状態にしておけば、連結穴３３ｆから連結ピン４５ａの先端部が目視できるので、幅広なカード５１が収容部２５に収容されていることを確認できることから、幅狭なカード６１が収容部２５に収容されていないことを識別することが可能である。
【００５８】
以下、図１、図８及び図９を参照して、幅狭なカード６１をカード用コネクタに挿入し収容部２５の所定位置で収容する操作とともにイジェクト機構の動作を説明する。
【００５９】
幅狭なカード６１が収容部２５の所定領域２５ａに挿入される際には、図１に示した初期位置で幅狭なカード６１が収容部２５の所定領域２５ａに挿入される。このとき、幅狭なカード６１は、フレーム２１のガイド溝２１ａにしたがって挿入される。
【００６０】
幅狭なカード６１は、挿入時に収容部２５の中心線Ｃ上にある連結ピン４５ａに幅狭なカード６１の幅方向Ｗを直交する一辺６１ｂが当接することなく、一辺６１ｂの裏面がガイド受部材４７の一方の壁部４７ａの上面を摺動する。
【００６１】
幅狭なカード６１の先端面６１ｃは、一方のイジェクトプレート３１の押圧部３１ｂに当接することによって挿入方向Ａへイジェクトプレート３１を押圧し、イジェクトプレート３１を軸部１７ａを中心に回転させつつ所定位置へ移動する。
【００６２】
なお、図８及び図９では、以下の説明が容易に理解できるように、もう一方のイジェクトプレート３３の連結部３３ａを削除して示した。
【００６３】
さらに、イジェクトプレート３１は、図９に示すように、幅狭なカード６１の押圧とともに挿入方向Ａへ移動し幅狭なカード６１が所定位置へ達した際に連結部３１ａも所定位置に移動することによって幅狭なカード６１が収容部２５の所定領域２５ａに収容される。
【００６４】
幅狭なカード６１を収容部２５の所定位置から排出する際には、イジェクトボタン４１ｂを挿入方向Ａへ押圧することによって、イジェクトプレート３１の連結部３１ａが排出方向Ｂへ回転し、イジェクトプレート３１を所定位置から初期位置へもどすと幅狭なカード６１が排出される。
【００６５】
上述したように、一対のイジェクトプレート３１，３３は、それぞれ単独で機能するので該当する側のイジェクトボタン４１ｂ又は４３ｂを操作すれば、目的の幅狭なカード６１を排出することができる。これは、幅狭なカード６１を収容部２５の所定領域２５ｂに挿入した場合も同様である。
【００６６】
また、幅狭なカード６１を収容部２５の所定領域２５ａ，２５ｂに挿入した場合でも連結ピン４５ａに幅狭なカード６１が当接することないのでイジェクトプレート３１，３３はそれぞれ独立して機能する。
【００６７】
なお、ガイド部４８は、ピン保持部４５ｂに設けた突部４５ｃがスライド可能に係合するよう一対の壁部４７ａ，４７ｂの対向面に形成した突条部であっても、また、一対の壁部４７ａ，４７ｂの対向面に形成した長溝であってもよい。
【００６８】
さらに、連結機構の構造は、実施例１にかぎらず挿入方向Ａに移動するにつれ上方向に変位するような構造がなされていればよい。
【産業上の利用可能性】
【００６９】
本発明のカード用コネクタは、ＩＣカードを接続するコネクタの他に、ＳＤカード、メモリカード、ＰＣカードなどを用いるノート型パーソナルコンピュータ、ＰＤＡ，携帯電話などの携帯端末に搭載されるカード電子機器に組み込まれるカード用コネクタとして不可欠な用途にも適用できる。
【図面の簡単な説明】
【００７０】
【図１】本発明の実施例１に係るカード用コネクタと、このカード用コネクタに接続する外形形状が異なっている二枚のカードを示している図である。
【図２】図１に示したカード用コネクタを分解した状態を示した斜視図である。
【図３】図１に示したカード用コネクタの連結機構を拡大して示した斜視図である。
【図４】図３に示したカード用コネクタの連結機構を分解して示した斜視図である。
【図５】図３に示したカード用コネクタの連結機構の操作状態を示した斜視図である。
【図６】図１にカード用コネクタに幅広なカードが挿入される途中で初期状態を示す斜視図である。
【図７】図６にカード用コネクタに幅広なカードが所定位置に収容された状態を示す斜視図である。
【図８】図１にカード用コネクタに幅狭なカードが挿入される途中で初期状態を示す斜視図である。
【図９】図８にカード用コネクタに幅狭なカードが所定位置に収容された状態を示す斜視図である。
【符号の説明】
【００７１】
１１    インシュレータ
１３    コンタクト
１５    コネクタ部
１７    ブリッジ部
１７ａ，１７ｂ    軸部
２１，２３    フレーム部
２１ａ，２３ａ    ガイド溝
２５    収容部
２５ａ，２５ｂ    所定領域
３１，３３    イジェクトプレート
３１ａ，３３ａ    連結部
３１ｂ，３３ｂ    押圧部
３１ｃ，３３ｃ    軸穴
３１ｄ，３３ｄ    プレート係合部
３１ｆ，３３ｆ    連結穴
４１，４３    イジェクトバー
４５ａ    連結ピン
４５ｂ    ピン保持部
４５ｃ    突部
４７    スライド受部材
４７ａ，４７ｂ    壁部
４８    ガイド部
４９    摺動部材
４９ｃ    切り欠き部
５１    幅広なカード
５１ｃ，６１ｃ    先端面
５３，６３    相手側コンタクト
６１    幅狭なカード
Ａ    挿入方向
Ｂ    排出方向
Ｃ    中心線
Ｗ    幅方向
【図１】
2005183155.tif 000003
【図２】
2005183155.tif 000004
【図３】
2005183155.tif 000005
【図４】
2005183155.tif 000006
【図５】
2005183155.tif 000007
【図６】
2005183155.tif 000008
【図７】
2005183155.tif 000009
【図８】
2005183155.tif 000010
【図９】
2005183155.tif 000011